(57)【特許請求の範囲】
【請求項１】
農業用ハウスの肩部となる傾斜した換気開口部に設けられる開閉用の巻取シートを案内する農業用ハウスの巻取シートガイド構造であって、
前記換気開口部の周部に設けられる枠体と、該枠体に係着されるハウス側シートと、前記換気開口部に水平方向に沿う巻取パイプと、該巻取パイプに下端が巻き付けられる巻取シートと、を具備し、
前記枠体が、
前記農業用ハウスの外側に連続して開口する長手方向に長い蟻溝を有し前記巻取シートの開閉方向に長尺の枠材と、前記蟻溝の溝底拡幅部に装着され前記ハウス側シートを係着する波形弾性線材と、前記枠材の長手方向に渡る長尺で形成され弾性を有して前記蟻溝に圧入装着され前記枠材から突出して前記巻取シートに接触する摩擦軽減材と、
を具備したことを特徴とする農業用ハウスの巻取シートガイド構造。
【請求項２】
前記摩擦軽減材の突出方向の厚みが、前記蟻溝の深さに、潰れ見越し寸法を加えた寸法より大きく形成されたことを特徴とする請求項１記載の農業用ハウスの巻取シートガイド構造。
【請求項３】
前記摩擦軽減材の幅が、前記蟻溝に弾性的に係着する弾性変形量分、前記蟻溝の溝幅寸法より大きく形成されたことを特徴とする請求項１又は２記載の農業用ハウスの巻取シートガイド構造。
【請求項４】
前記摩擦軽減材が、前記枠材の長手方向に沿って長い同一四角断面形状の角柱体で形成されたことを特徴とする請求項１，２，３のいずれか１つに記載の農業用ハウスの巻取シートガイド構造。
【請求項５】
前記摩擦軽減材が、発泡樹脂材からなることを特徴とする請求項１，２，３，４のいずれか１つに記載の農業用ハウスの巻取シートガイド構造。
【発明の詳細な説明】
【技術分野】
【０００１】
本発明は、農業用ハウスの肩部分に設けられる換気装置の巻取シートを案内する農業用ハウスの巻取シートガイド構造に関する。
【背景技術】
【０００２】
例えば、農業用ハウスは、気象の推移によるハウス内の温度変化を適温に調節する換気装置を備える（例えば特許文献１参照）。農業用ハウスは、支柱パイプ、アーチパイプ等の骨組みに、樹脂シートを展張してなる。ハウスの肩部分、連棟ハウス間の谷間側屋根面等には、周部を包囲するように設けたハウス骨材（枠体）にて換気開口部が形成される。
【０００３】
換気装置は、巻取シートの下端を巻き付け、上記換気開口部に水平方向に沿う巻取パイプと、この巻取パイプの一端に結合される回転駆動部材と、回転駆動部材に結合されるハンドルとで構成される。ハンドルの回動操作力は、回転駆動部材に内設される変速ギア機構を駆動し、適宜な回転速度及びトルクに変換されて巻取パイプへ出力される。また、回転駆動部材は、そのハウジングが地面に起立するガイドパイプに上下移動自在に保持される。
【０００４】
したがって、換気開口部の上部に上端の固定された巻取シートは、ハンドルが回転されると、下端側が巻き取られながら上昇し、巻回シートの下方に換気開口部が開放される一方、ハンドルが反対方向に回転されると、下端側が巻き戻されて換気開口部を閉鎖する。
【特許文献１】特開２００２−２７８４３号公報
【発明の開示】
【発明が解決しようとする課題】
【０００５】
ところで、単棟型や連棟型として設置される農業用ハウスは、奥行きが１００ｍを超えるものも多くある。換気開口部は、ハウス両側面や肩部、連棟ハウス間の谷間側屋根面窓に、奥行き方向で開口されるが、特に長大なハウスでは、その奥行き方向が所定間隔毎にハウス側シートで閉鎖される場合がある。この閉鎖部は、換気開口部のシート開閉方向に亘って設けた平行な一対の枠体にシートの左右端を固定して形成される。したがって、換気開口部の開閉の際には、巻取パイプに巻回されたシートロールが、両端、及び途中部分の枠体に接触しながら巻き取り・巻き戻されることとなる。このため、換気開口部の開閉の都度、巻取シートと、その下のハウス側シートとが摩擦し、摩耗により破れることがあった。このような状況は、換気開口部途中にハウス側シートの設けられない比較的小さな換気開口部においても、換気開口部周囲のハウス側シートと、巻取シートが摩擦することによっても同様に発生した。また、換気装置には、風による煽りや捲れを防止するために巻取シートを押さえるバンドが取り付けられており、このような部位には、シート同士、及びシートと枠体がさらに強く摺接して、摩耗劣化を一層顕著にした。
【０００６】
本発明は上記状況に鑑みてなされたもので、シート同士、及びシートと枠体の摺接によるシート破れを防止できる農業用ハウスの巻取シートガイド構造を提供し、もって、シートの耐久性向上を図ることを目的とする。
【課題を解決するための手段】
【０００７】
次に、上記の課題を解決するための手段を、実施の形態に対応する図面を参照して説明する。
本発明の請求項１記載の農業用ハウスの巻取シートガイド構造は、農業用ハウス１００の肩部となる傾斜した換気開口部１５，１３ａに設けられる開閉用の巻取シート２７を案内する農業用ハウス１００の巻取シートガイド構造であって、
前記換気開口部１５，１３ａの周部に設けられる枠体３５と、該枠体３５に係着されるハウス側シート３と、前記換気開口部１５，１３ａに水平方向に沿う巻取パイプ３９と、該巻取パイプ３９に下端３７が巻き付けられる巻取シート２７と、を具備し、
前記枠体３５が、
前記農業用ハウス１００の外側に連続して開口する長手方向に長い蟻溝５１を有し前記巻取シート２７の開閉方向に長尺の枠材４５と、前記蟻溝５１の溝底拡幅部５１ａに装着され前記ハウス側シート３を係着する波形弾性線材４７と、前記枠材４５の長手方向に渡る長尺で形成され弾性を有して前記蟻溝５１に圧入装着され前記枠材４５から突出して前記巻取シート２７に接触する摩擦軽減材４９と、
を具備したことを特徴とする。
【０００８】
この農業用ハウスの巻取シートガイド構造では、巻取パイプ３９の巻き取り・巻き戻しにより換気開口部１５，１３ａを開閉方向に移動する巻取シート２７が、摩擦軽減材４９に接触し、例えば移動方向に沿って長手方向に連続して設けられることで案内され、巻取シート２７が、ハウス側シート３及び枠体３５に直接接触しなくなる。
【０００９】
請求項２記載の農業用ハウスの巻取シートガイド構造は、前記摩擦軽減材４９の突出方向の厚みＴが、前記蟻溝５１の深さＤに、潰れ見越し寸法Ｍを加えた寸法より大きく形成されたことを特徴とする。
【００１０】
この農業用ハウスの巻取シートガイド構造では、巻取シート２７が巻取パイプ３９に巻回され、重量の大きいシートロール４３となって押圧しても、摩擦軽減材４９がシートロール４３を枠体３５に接触させるまで潰れず、摩擦軽減材４９が突出状態を維持し続ける。
【００１１】
請求項３記載の農業用ハウスの巻取シートガイド構造は、前記摩擦軽減材４９の幅Ｗが、前記蟻溝５１に弾性的に係着する弾性変形量分、前記蟻溝５１の溝幅寸法Ｓより大きく形成されたことを特徴とする。
【００１２】
この農業用ハウスの巻取シートガイド構造では、弾性変形を利用して摩擦軽減材４９が枠体３５に着脱自在に係着し、ネジや、弾性係止爪等の係着手段を必要とせずに、係着構造が簡素となる。
【００１３】
請求項４記載の農業用ハウスの巻取シートガイド構造は、前記摩擦軽減材４９が、前記枠材４５の長手方向に沿って長い同一四角断面形状の角柱体で形成されたことを特徴とする。
【００１４】
この農業用ハウスの巻取シートガイド構造では、摩擦軽減材４９の厚み方向の下部４９ａが蟻溝５１に係着され、厚み方向の上部４９ｂが枠体３５から突出される。つまり、摩擦軽減材４９は、厚み方向の略中間部４９ｃの両側が幅方向の内側に潰され、蟻溝５１の両側開口縁に挟持されて枠材４５に係着する。
【００１５】
請求項５記載の農業用ハウスの巻取シートガイド構造は、前記摩擦軽減材４９が、発泡樹脂材からなることを特徴とする。
【００１６】
この農業用ハウスの巻取シートガイド構造では、摩擦軽減材４９が発泡構造体となることで、製造時における密度調整や弾性調整が容易となる。
【発明の効果】
【００１７】
本発明に係る請求項１記載の農業用ハウスの巻取シートガイド構造によれば、開口部開閉用の巻取シートを案内する巻取シートガイド構造において、枠体、ハウス側シート、巻取パイプ、巻取シートを具備し、枠体が、巻取シートの開閉方向に長尺の枠材と、枠材の長手方向に渡る長尺で形成され弾性を有して枠材の蟻溝に圧入装着され枠材から突出して巻取シートに接触する摩擦軽減材とを備えるので、巻取パイプの巻き取り・巻き戻しにより換気開口部を開閉方向に移動する巻取シートが摩擦軽減材に接触して案内され、巻取シートが、ハウス側シート及び枠体に直接接触しなくなり、摺接によるシート破れを防止できる。この結果、シートの耐久性を向上させることができる。
【００１８】
請求項２記載の農業用ハウスの巻取シートガイド構造によれば、摩擦軽減材の突出方向の厚みが、蟻溝の深さに、潰れ見越し寸法を加えた寸法より大きく形成されるので、巻取シートが巻取パイプに巻回され、重量の大きいシートロールとなって押圧しても、摩擦軽減材が突出状態を維持し、巻取シートが枠体から離間して、接触による摩耗を長期に渡り防止することができる。
【００１９】
請求項３記載の農業用ハウスの巻取シートガイド構造によれば、摩擦軽減材の幅が、蟻溝に弾性的に係着する弾性変形量分、蟻溝の溝幅寸法より大きく形成されるので、摩擦軽減材の弾性変形を利用して枠体に着脱自在に係着でき、ネジや係着手段を必要とせずに、簡単な構造で安価に摩擦軽減材を着脱することができる。
【００２０】
請求項４記載の農業用ハウスの巻取シートガイド構造によれば、摩擦軽減材が、枠材の長手方向に沿って長い同一四角断面形状の角柱体で形成されるので、厚み方向の下部においては等幅の蟻溝への安定的な係着、及び適宜な解除力による係着解除が可能となる一方、上部においては平坦な突出平面を一定幅としたガイド面が形成できる。
【００２１】
請求項５記載の農業用ハウスの巻取シートガイド構造によれば、摩擦軽減材が、発泡樹脂材からなるので、軽量化が可能となるとともに、製造時の発泡率を調整することにより、所望の弾性率での形成が容易となる。
【発明を実施するための最良の形態】
【００２２】
以下、本発明に係る農業用ハウスの巻取シートガイド構造の好適な実施の形態を図面を参照して詳細に説明する。
図１は本発明に係る巻取シートガイド構造を備えた農業用ハウスの斜視図である。
本実施の形態による農業用ハウス１００の巻取シートガイド構造は、農業用ハウス１００の後述する換気開口部１５に設けられる開閉用の巻取シート２７を案内するためのものである。
巻取シートガイド構造を備える農業用ハウス１００は、支柱パイプ１ａ、アーチパイプ１ｂ、桁パイプ１ｃ、棟木パイプ１ｄ等の骨組み１にハウス側シートである樹脂シート３を展張したものであり、例えば断面略半円形の屋根部１１を有した蒲鉾状に形成され、単棟型や図例のように複数ハウスが連棟型として設置される。樹脂シート３としては、厚さ０．０５〜０．０７５ｍｍの透明度のある、例えばポリオレフィン系フィルムを使用することができる。ポリオレフィン系フィルムとしては、農業用ポリエチレンフィルム、農業用エチレン・酢酸ビニル共同体樹脂フィルム、農業用ポリオレフィン系特殊フィルムを用いることができる。
【００２３】
単棟ハウスの肩部分、連棟ハウス間の連結された肩部である谷間側屋根面には、矩形状の換気開口部１３ａ，１５が奥行き方向に渡って形成され、この換気開口部１３ａ，１５は巻取構造を備えている。
【００２４】
なお、換気開口部１５は、奥行き方向に渡り、連続して開口する構造や、断続的に開口するものもあり、また、奥行き方向の前後部分である妻面４に沿う肩部分は開口形成されずに樹脂シート３で覆われ（図７中Ａ）、巻取シート２７の縁部分とオーバーラップするよう構成されている（図７中Ｖ）。
【００２５】
図２は図１に示した谷間側屋根面の換気開口部の拡大斜視図である。
連棟ハウス間の谷間には谷樋１７が設けられ、谷樋１７はアーチパイプ１ｂの下端を接続する。アーチパイプ１ｂには谷樋１７と平行に離間したレール形枠材１９が固定され、このレール形枠材１９と谷樋１７の間に換気開口部１５が形成されている。
【００２６】
谷樋１７の長手方向には所定間隔で複数の紐掛け２１が設けられる。レール形枠材１９の長手方向には所定間隔で複数の紐掛けフック２３が設けられる。紐掛け２１と紐掛けフック２３には煽り防止ベルト２５がジクザグに張架されている。この煽り防止ベルト２５とアーチパイプ１ｂの間隙は巻取シート２７の展張スペースとなる。
【００２７】
谷樋１７の上縁にはレール形枠部２９が付設される。レール形枠材１９とレール形枠部２９は、溝フレーム１９ａ，２９ａと、バネ性を有する波形弾性線材である係止線条１９ｂ，２９ｂからなり、屋根部１１や換気開口前後端縁の樹脂シート３の端縁３０、及び巻取シート２７の上縁３１を収容したシート定着溝１９ｃ，２９ｃに係止線条１９ｂ，２９ｂを挿入することで、樹脂シート３の端縁３０や、巻取シート２７の上縁３１を固定する。
【００２８】
換気開口部１５にはアーチパイプ１ｂに沿う複数の枠体３５が奥行き方向所定間隔で設けられる。枠体３５は、上下端がレール形枠材１９とレール形枠部２９に固定され単独で設けられてもよい。また、アーチパイプ１ｂと一体固定されてもよい。さらに、枠体３５を設けた部分では、アーチパイプ１ｂが省略されてもよい。
【００２９】
巻取シート２７は、下縁３７が巻取パイプ３９に固定される。下縁３７は、巻取パイプ３９に巻かれた上にバネ性を有する断面Ｃ字状の固定具（不図示）が嵌合されることで巻取パイプ３９に挟着固定される。なお、下縁３７を巻回した巻取パイプ３９には、さらに不図示のシート回転止め具が嵌合されてもよい。巻取パイプ３９の一端には巻上げ装置４１が接続され、巻上げ装置４１はハンドル（手回し棒）４１ａに不図示のギアを噛ませた減速機構及びストッパーを備え、手動によるハンドル回転を減速機を介して巻取パイプ３９に伝達する。巻上げ装置４１は、そのハウジングが地面に起立するガイドパイプ（不図示）に上下移動自在に保持される。
【００３０】
換気開口部１５の上部に上縁３１の固定された巻取シート２７は、ハンドル４１ａが回転されると、下縁３７側が巻き取られながら上昇し、巻回された巻取シート２７の下方に換気開口部１５が開放される一方、ハンドル４１ａが反対方向に回転されると、下縁３７側が巻き戻されて換気開口部１５を閉鎖する。
【００３１】
なお、換気開口部１５には、防虫ネット１６が展設され（図７参照）、この防虫ネット１６の縁部は、枠材４５の蟻溝に係止線条にて装着されており、換気開口部１５からの害虫などの侵入を防ぐ。そしてこの防虫ネット１６の上面を、巻取シート２７が開閉移動することとなる。
【００３２】
図３はハウス側シートを係着した摩擦軽減材に接触するシートロールの斜視図、図４は換気開口部の中間部における枠体の摩擦軽減材に接触するシートロールの斜視図である。
巻取シートガイド構造は、換気開口部１５の周部に設けられる枠体３５と、この枠体３５に係着される樹脂シート３と、換気開口部１５に水平方向に沿う巻取パイプ３９と、この巻取パイプ３９に下縁３７が巻き付けられる巻取シート２７とを具備してなる。枠体３５は、換気開口部１５の前後端縁では、図３に示すように、樹脂シート３を係着したものが、巻取シート２７を巻回してなるシートロール４３を担持する。また、枠体３５は、換気開口部１５の中間部では、図４に示すように、樹脂シート３を係着していないものが、シートロール４３を担持する。
【００３３】
図５はハウス側シートを係着した枠体及び摩擦軽減材の拡大斜視図、図６は摩擦軽減材の一部分が蟻溝から外された枠体の斜視図である。
枠体３５は、枠材４５と、波形弾性線材である係止線条４７と、摩擦軽減材４９とからなる。枠材４５は、農業用ハウス１００の外側に開口する蟻溝５１を有し、巻取シート２７の開閉方向に長尺で形成される。係止線条４７は、蟻溝５１の溝底拡幅部５１ａに装着され、樹脂シート３を係着する。摩擦軽減材４９は、枠材４５の長手方向に渡る長尺で形成され、弾性を有して蟻溝５１に圧入装着され、枠材４５から突出して巻取シート２７に接触する。
【００３４】
蟻溝５１には、図６に示すように、２本の係止線条４７，４７が上下に重なり係着される。したがって、摩擦軽減材４９は、係止線条４７の直径の２倍分の寸法分、溝底５１ｂから浮上して係着されることとなる。
【００３５】
摩擦軽減材４９は、突出方向の厚みＴが、蟻溝５１の深さＤに、潰れ見越し寸法Ｍを加えた寸法より大きく形成されている。巻取シート２７が巻取パイプ３９に巻回され、重量の大きいシートロール４３となって押圧しても、摩擦軽減材４９がシートロール４３を枠材４５に接触させるまで潰れず、摩擦軽減材４９が突出状態を維持し続けるようになっている。これにより、巻取シート２７が枠材４５から離間して、接触による摩耗を長期に渡り防止する。
【００３６】
また、摩擦軽減材４９は、幅Ｗが、蟻溝５１に弾性的に係着する弾性変形量分、蟻溝５１の溝幅寸法Ｓより大きく形成されている。すなわち、弾性変形を利用して摩擦軽減材４９が枠材４５に着脱自在に係着し、ネジや、弾性係止爪等の係着手段を必要とせずに、係着構造が簡素となっている。これにより、簡単な構造で安価に摩擦軽減材４９を着脱自在としている。
【００３７】
また、摩擦軽減材４９は、枠材４５の長手方向に沿って長い同一四角断面形状の角柱体で形成される。摩擦軽減材４９の厚み方向の下部４９ａが蟻溝５１に係着され、厚み方向の上部４９ｂが枠材４５から突出される。つまり、摩擦軽減材４９は、厚み方向の略中間部４９ｃの両側が幅方向Ｗの内側に潰され、蟻溝５１の両側開口縁に挟持されて枠材４５に係着する。これにより、厚み方向の下部４９ａにおいては等幅の蟻溝５１への安定的な係着、及び適宜な解除力による係着解除が可能となる一方、上部４９ｂにおいては平坦な突出平面を一定幅Ｗとしたガイド面４９ｄが形成できる。
【００３８】
摩擦軽減材４９は、発泡樹脂材からなることが好ましい。発泡樹脂材としては、例えばオレフィン系樹脂等を用いることができる。摩擦軽減材４９が発泡構造体となることで、製造時における密度調整や弾性調整が容易となる。これにより、軽量化が可能となるとともに、製造時の発泡率を調整することにより、所望の硬度、弾性率等での形成が容易となる。
【００３９】
次に、上記の構成を有する巻取シートガイド構造の作用を説明する。
換気開口部１５の閉鎖時、巻取シート２７は巻取パイプ３９から巻き戻され、換気開口部１５を閉鎖している。このとき、換気開口部１５の前後端縁や、中間閉鎖部では、巻取シート２７が、摩擦軽減材４９によって樹脂シート３から離間配置される。つまり、非接触となっている。
【００４０】
巻上げ装置４１のハンドル４１ａが回転されると、巻取シート２７は下縁３７側が巻き取られながら上昇し、巻回されたシートロール４３の下方に換気開口部１５が開放される一方、ハンドル４１ａが反対方向に回転されると、下縁３７側が巻き戻されて換気開口部１５を閉鎖する。この巻取シート２７の巻き取り・巻き戻し時、換気開口部１５を開閉方向に移動する巻取シート２７が、摩擦軽減材４９に接触して案内され、樹脂シート３及び枠材４５に直接接触しなくなる。
【００４１】
したがって、農業用ハウス１００の巻取シートガイド構造によれば、枠体３５が、巻取シート２７の開閉方向に長尺の枠材４５と、弾性を有して枠材４５の蟻溝５１に圧入装着され枠材４５から突出して巻取シート２７に接触する摩擦軽減材４９とを備えるので、巻取パイプ３９の巻き取り・巻き戻しにより換気開口部１５を開閉方向に移動する巻取シート２７が摩擦軽減材４９に接触して案内され、巻取シート２７が、樹脂シート３及び枠体３５に直接接触しなくなり、摺接によるシート破れを防止できる。この結果、シート３，２７の耐久性を向上させることができる。特に巻取シート２７の開閉を、ハウス内の温度環境に応じて自動制御にて行う場合には、上記したハンドルではなく、モーターなどの動力源にて常に開閉の動作が行われることから、シート３，２７に対する経時変化が減少される。樹脂シート３や巻取シート２７の破れ防止は、農業用ハウス１００内への雨漏りを防ぎ、作物への生育障害を回避するのにも有効となる。そして、この破れ防止により、シート３，２７の寿命が延びることとなり、シートの交換期間が延長され、交換作業回数が減ることとなる。
【００４２】
さらに、摩擦軽減材４９は、樹脂シート３との相性の良いポリ系であるので、緩衝効果を得ることができる。また、摩擦軽減材４９は、既存の農業用ハウス１００にて使用している波形弾性線材を用いたレール形枠部２９、レール形枠部２９、枠材４５等に容易に取付可能となり汎用性がある。また、摩擦軽減材４９は、擦れによる樹脂シート３、巻取シート２７の破れを防止するとともに、水滴の進入を軽減する雨漏り防止用のパッキンとしての効果も奏する。そして、摩擦軽減材４９は、弾性を有するので、煽り防止ベルト２５のズレ防止としての効果も奏する。
【００４３】
なお、上述した実施の形態では、ハウスの肩部分における換気開口部１５，１３ａの構成として述べたが、側壁などに配設される換気開口部１３ｂにも配置構成することが可能であり、縦枠などに巻取シート２７が摩擦接触する際の摩耗軽減の効果を得られる。
【図面の簡単な説明】
【００４４】
【図１】本発明に係る巻取シートガイド構造を備えた農業用ハウスの斜視図である。
【図２】図１に示した谷間側屋根面の換気開口部の拡大斜視図である。
【図３】ハウス側シートを係着した摩擦軽減材に接触するシートロールの斜視図である。
【図４】換気開口部の中間部における枠体の摩擦軽減材に接触するシートロールの斜視図である。
【図５】ハウス側シートを係着した枠体及び摩擦軽減材の拡大斜視図である。
【図６】摩擦軽減材の一部分が蟻溝から外された枠体の斜視図である。
【図７】肩部における概略断面図である。
【符号の説明】
【００４５】
３…ハウス側シート（樹脂シート）
１５，１３ａ…換気開口部
２７…巻取シート
３５…枠体
３７…下端（下縁）
３９…巻取パイプ
４５…枠材
４７…波形弾性線材（係止線条）
４９…摩擦軽減材
５１…蟻溝
５１ａ…溝底拡幅部
１００…農業用ハウス
Ｄ…蟻溝の深さ
Ｍ…潰れ見越し寸法
Ｔ…摩擦軽減材の突出方向の厚み
Ｓ…蟻溝の溝幅寸法
Ｗ…摩擦軽減材の幅
【図１】
0005133778.tif 000002
【図２】
0005133778.tif 000003
【図３】
0005133778.tif 000004
【図４】
0005133778.tif 000005
【図５】
0005133778.tif 000006
【図６】
0005133778.tif 000007
【図７】
0005133778.tif 000008